【手続補正書】
【提出日】平成18年6月8日(2006.6.8)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  画像読み取り装置と画像書き込み装置とを組み合わせて構成した画像形成装置において、
前記画像書き込み装置は、
前記画像読み取り装置に電力を供給する電力供給手段と、
当該画像書き込み装置の消費電力を示す消費電力情報を記憶する記憶手段と、
該記憶された消費電力情報を前記画像読み取り装置に送信する第１制御手段と
を有し、
前記画像読み取り装置は、
前記第１制御手段から送信された消費電力情報に応じて、当該画像読み取り装置の消費電力を制御する第２制御手段
を有する
ことを特徴とする画像形成装置。
【請求項２】  前記画像読み取り装置は、当該画像読み取り装置の消費電力を示す消費電力情報を記憶する第２の記憶手段を有し、
前記第２制御手段は、該記憶された画像読み取り装置の消費電力情報が示す消費電力と前記第１制御手段から送信された画像書き込み装置の消費電力情報が示す消費電力との合計値が所定値を超えたときに、当該画像読み取り装置の消費電力を低減させるように制御する
ことを特徴とする請求項１に記載の画像形成装置。
【請求項３】  前記画像読み取り装置は、消費電力量に応じた消費電力モードを複数モード有し、
前記第２制御手段は、該消費電力モードを切り換えることにより、当該画像読み取り装置の消費電力を低減させる
ことを特徴とする請求項２に記載の画像形成装置。
【請求項４】  前記画像読み取り装置は、画像読み取り用のモータを有し、
前記消費電力モードの制御対象として、前記モータを含むことを特徴とする請求項３に記載の画像形成装置。
【請求項５】  前記第２制御手段は、当該画像読み取り装置の消費電力を低減させても、該画像読み取り装置と前記画像書き込み装置の消費電力の合計値が前記所定値を超えるときには、装置全体の動作を禁止させるとともに、該禁止されたことを表示手段に表示させることを特徴とする請求項２〜４のいずれかに記載の画像形成装置。
【請求項６】  画像読み取り装置と画像書き込み装置とを組み合わせて構成した画像形成装置において、
前記画像読み取り装置は、
当該画像読み取り装置の消費電流を示す消費電流情報を記憶する記憶手段と、
該記憶された消費電流情報を前記画像書き込み装置に送信する送信手段と
を有し、
前記画像書き込み装置は、
前記画像読み取り装置に電力を供給するとともに、その電力供給を停止させるためのリミット電流値を可変設定可能な電力供給手段と、
前記送信手段から送信された消費電流情報を受信する受信手段と、
該受信された消費電流情報に応じて、前記リミット電流値を設定するように制御する制御手段と
を有する
ことを特徴とする画像形成装置。
【請求項７】  前記画像読み取り装置は、消費電力量に応じた消費電力モードを複数モード有し、
前記記憶手段は、前記各消費電力モードにそれぞれ対応する消費電流情報を記憶し、
前記制御手段は、前記画像読み取り装置に設定されている消費電力モードに対応する消費電流が前記電源供給手段の最大定格電流を超えたときには、当該設定されている消費電力モードをより消費電力の低い消費電力モードに変更設定するとともに、これに応じて前記送信手段が送信した、該変更設定された消費電力モードに対応する消費電流情報に応じて、前記リミット電流値を設定する
ことを特徴とする請求項６に記載の画像形成装置。
【請求項８】  前記制御手段によって消費電力が最も低い消費電力モードに設定変更されても、その消費電流が前記電源供給手段の最大定格電流を超えているときには、当該画像読み取り装置を組み合わせることは不可能である旨を表示する表示手段
を有することを特徴とする請求項７に記載の画像形成装置。
【請求項９】  画像読み取り装置と画像書き込み装置とを組み合わせて構成した画像形成装置において、
前記画像書き込み装置は、
前記画像読み取り装置に電源を供給するとともに、その電源電圧値を可変供給可能な電源供給手段と、
該電源供給手段によって供給される電源電圧の範囲情報を前記画像読み取り装置に送信する送信手段と
を有し、
前記画像読み取り装置は、
前記送信手段から送信された電源電圧の範囲情報を受信する受信手段と、
該受信された電源電圧の範囲情報が示す電圧範囲内で、当該画像読み取り装置が動作可能か否かを判別し、その動作状態を決定するように制御する制御手段と
を有する
ことを特徴とする画像形成装置。
【請求項１０】  前記送信手段は、前記電源供給手段によって供給される電力の上限値を示す情報を送信し、
前記受信手段は、該送信された電力の上限値を示す情報を受信し、
前記制御手段は、該受信された電力の上限値を示す情報によって示される上限値の範囲内で、当該画像読み取り装置が動作可能か否かを判別し、その動作状態を決定する
ことを特徴とする請求項９に記載の画像形成装置。
【請求項１１】  前記制御手段により、当該画像読み取り装置が動作不可能と判別されて、当該画像読み取り装置を動作させないと決定されたときには、その旨を表示する表示手段を有することを特徴とする請求項９または１０のいずれかに記載の画像形成装置。
【請求項１２】  画像読み取り装置と画像書き込み装置とを組み合わせて構成した画像形成装置において、
前記画像読み取り装置は、
当該画像読み取り装置が動作に必要な電源電圧を示す電源電圧情報を前記画像書き込み装置に送信する送信手段
を有し、
前記画像書き込み装置は、
前記送信手段から送信された電源電圧情報を受信する受信手段と、
前記画像読み取り装置に電源を供給するとともに、その電源電圧値を可変供給可能な電源供給手段と、
前記受信手段によって受信された電源電圧情報を示す電源電圧が前記電源供給手段で供給できる電圧範囲内で動作可能か否かを判別し、その動作状態を決定するように制御する制御手段と
を有する
ことを特徴とする画像形成装置。
【請求項１３】  前記送信手段は、当該画像読み取り装置が動作に必要な電力を示す電力情報を前記画像書き込み装置に送信し、
前記受信手段は、該送信された電力情報を受信し、
前記制御手段は、該受信された電力情報を示す電力が前記電源供給手段で供給できる電力の上限値範囲内で動作可能か否かを判別し、その動作状態を決定する
ことを特徴とする請求項１２に記載の画像形成装置。
【請求項１４】  前記制御手段により、前記受信手段によって受信された電源電圧情報を示す電源電圧、または電力情報を示す電力を前記電源供給手段から発生させることができないときには、その旨を表示する表示手段
を有することを特徴とする請求項１２または１３に記載の画像形成装置。
【手続補正３】
【補正対象書類名】明細書
【補正対象項目名】０００１
【補正方法】変更
【補正の内容】
【０００１】
【発明の属する技術分野】
本発明は、画像読み取り装置と画像書き込み装置とを組み合わせて構成した画像形成装置に関する。
【手続補正４】
【補正対象書類名】明細書
【補正対象項目名】０００８
【補正方法】変更
【補正の内容】
【０００８】
本発明は、この点に着目してなされたものであり、画像読み取り装置と画像書き込み装置とを組み合わせて構成した画像形成装置において、画像読み取り装置と画像書き込み装置の組み合わせの自由度をより向上させることで、製品ラインナップをさらに拡大させることが可能な画像形成装置を提供することを目的とする。
【手続補正５】
【補正対象書類名】明細書
【補正対象項目名】０００９
【補正方法】変更
【補正の内容】
【０００９】
【課題を解決するための手段】
上記目的を達成するため、請求項１に記載の画像形成装置は、画像読み取り装置と画像書き込み装置とを組み合わせて構成した画像形成装置において、前記画像書き込み装置は、前記画像読み取り装置に電力を供給する電力供給手段と、当該画像書き込み装置の消費電力を示す消費電力情報を記憶する記憶手段と、該記憶された消費電力情報を前記画像読み取り装置に送信する第１制御手段とを有し、前記画像読み取り装置は、前記第１制御手段から送信された消費電力情報に応じて、当該画像読み取り装置の消費電力を制御する第２制御手段を有することを特徴とする。
【手続補正６】
【補正対象書類名】明細書
【補正対象項目名】００１０
【補正方法】変更
【補正の内容】
【００１０】
好ましくは、前記画像読み取り装置は、当該画像読み取り装置の消費電力を示す消費電力情報を記憶する第２の記憶手段を有し、前記第２制御手段は、該記憶された画像読み取り装置の消費電力情報が示す消費電力と前記第１制御手段から送信された画像書き込み装置の消費電力情報が示す消費電力との合計値が所定値を超えたときに、当該画像読み取り装置の消費電力を低減させるように制御することを特徴とする。
【手続補正７】
【補正対象書類名】明細書
【補正対象項目名】００１１
【補正方法】変更
【補正の内容】
【００１１】
また、好ましくは、前記画像読み取り装置は、消費電力量に応じた消費電力モードを複数モード有し、前記第２制御手段は、該消費電力モードを切り換えることにより、当該画像読み取り装置の消費電力を低減させることを特徴とする。
【手続補正８】
【補正対象書類名】明細書
【補正対象項目名】００１２
【補正方法】変更
【補正の内容】
【００１２】
さらに、好ましくは、前記画像読み取り装置は、画像読み取り用のモータを有し、前記消費電力モードの制御対象として、前記モータを含むことを特徴とする。
【手続補正９】
【補正対象書類名】明細書
【補正対象項目名】００１３
【補正方法】変更
【補正の内容】
【００１３】
また、さらに好ましくは、前記第２制御手段は、当該画像読み取り装置の消費電力を低減させても、該画像読み取り装置と前記画像書き込み装置の消費電力の合計値が前記所定値を超えるときには、装置全体の動作を禁止させるとともに、該禁止されたことを表示手段に表示させることを特徴とする。
【手続補正１０】
【補正対象書類名】明細書
【補正対象項目名】００１４
【補正方法】変更
【補正の内容】
【００１４】
上記目的を達成するため、請求項６に記載の画像形成装置は、画像読み取り装置と画像書き込み装置とを組み合わせて構成した画像形成装置において、前記画像読み取り装置は、当該画像読み取り装置の消費電流を示す消費電流情報を記憶する記憶手段と、該記憶された消費電流情報を前記画像書き込み装置に送信する送信手段とを有し、前記画像書き込み装置は、前記画像読み取り装置に電力を供給するとともに、その電力供給を停止させるためのリミット電流値を可変設定可能な電力供給手段と、前記送信手段から送信された消費電流情報を受信する受信手段と、該受信された消費電流情報に応じて、前記リミット電流値を設定するように制御する制御手段とを有することを特徴とする。
【手続補正１１】
【補正対象書類名】明細書
【補正対象項目名】００１５
【補正方法】変更
【補正の内容】
【００１５】
好ましくは、前記画像読み取り装置は、消費電力量に応じた消費電力モードを複数モード有し、前記記憶手段は、前記各消費電力モードにそれぞれ対応する消費電流情報を記憶し、前記制御手段は、前記画像読み取り装置に設定されている消費電力モードに対応する消費電流が前記電源供給手段の最大定格電流を超えたときには、当該設定されている消費電力モードをより消費電力の低い消費電力モードに変更設定するとともに、これに応じて前記送信手段が送信した、該変更設定された消費電力モードに対応する消費電流情報に応じて、前記リミット電流値を設定することを特徴とする。
【手続補正１２】
【補正対象書類名】明細書
【補正対象項目名】００１９
【補正方法】変更
【補正の内容】
【００１９】
また、好ましくは、前記制御手段により、当該画像読み取り装置が動作不可能と判別されて、当該画像読み取り装置を動作させないと決定されたときには、その旨を表示する表示手段を有することを特徴とする。
【手続補正１３】
【補正対象書類名】明細書
【補正対象項目名】００２０
【補正方法】変更
【補正の内容】
【００２０】
上記目的を達成するため、請求項１２に記載の画像形成装置は、画像読み取り装置と画像書き込み装置とを組み合わせて構成した画像形成装置において、前記画像読み取り装置は、当該画像読み取り装置が動作に必要な電源電圧を示す電源電圧情報を前記画像書き込み装置に送信する送信手段を有し、前記画像書き込み装置は、前記送信手段から送信された電源電圧情報を受信する受信手段と、前記画像読み取り装置に電源を供給するとともに、その電源電圧値を可変供給可能な電源供給手段と、前記受信手段によって受信された電源電圧情報を示す電源電圧が前記電源供給手段で供給できる電圧範囲内で動作可能か否かを判別し、その動作状態を決定するように制御する制御手段とを有することを特徴とする。
【手続補正１４】
【補正対象書類名】明細書
【補正対象項目名】００２１
【補正方法】変更
【補正の内容】
【００２１】
好ましくは、前記送信手段は、当該画像読み取り装置が動作に必要な電力を示す電力情報を前記画像書き込み装置に送信し、前記受信手段は、該送信された電力情報を受信し、前記制御手段は、該受信された電力情報を示す電力が前記電源供給手段で供給できる電力の上限値範囲内で動作可能か否かを判別し、その動作状態を決定することを特徴とする。
また、好ましくは、前記制御手段により、前記受信手段によって受信された電源電圧情報を示す電源電圧、または電力情報を示す電力を前記電源供給手段から発生させることができないときには、その旨を表示する表示手段を有することを特徴とする。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】０１５８
【補正方法】変更
【補正の内容】
【０１５８】
【発明の効果】
以上説明したように、本発明によれば、画像読み取り装置と画像書き込み装置の組み合わせの自由度がより向上し、これにより、製品ラインナップをさらに拡大させることができる。
【手続補正４２】
【補正対象書類名】明細書
【補正対象項目名】０１５９
【補正方法】削除
【補正の内容】
【手続補正４３】
【補正対象書類名】明細書
【補正対象項目名】０１６０
【補正方法】削除
【補正の内容】
【手続補正４４】
【補正対象書類名】明細書
【補正対象項目名】０１６１
【補正方法】削除
【補正の内容】